(57)【要約】【課題】同伴者がペットを連れてエレベータに乗る場合にもなんらの操作を必要とすることのない、エレベータ装置を提供すること。【解決手段】昇降するエレベータの乗りかご１１と、この乗りかごの床面に所定間隔で設けられた複数の金属板１３と、これら導電板に接続され各導電板の通電状態によりペットの乗り込みを検知する導電体検知装置１５と、この導電体検知装置が前記ペットの乗り込みを検知したとき点灯するペット同乗ランプ１６とを備えて成る。【選択図】  図１
2005001801.tif 000002
【特許請求の範囲】
【請求項１】
昇降可能なエレベータの乗りかごと、
この乗りかごの床面に所定間隔で設けられた複数の導電部と、
これら導電部に接続され各導電部の通電状態によりペットの乗り込みを検知する導電検知装置と、
この導電検知装置が前記ペットの乗り込みを検知したとき点灯するペット同乗ランプとを備えて成ることを特徴とするエレベータ装置。
【請求項２】
前記導電検知装置が前記ペットの乗り込みを検知したとき、前記乗りかごの戸開時間を延長する戸開時間延長回路を更に有することを特徴とする請求項１記載のエレベータ装置。
【請求項３】
前記導電検知装置は、前記導電部が所定数以上通電状態になったことを検知することによりペットの乗り込みでないと判断することを特徴とする請求項１又は２記載のエレベータ装置。
【請求項４】
前記導電検知装置は、前記導電部の通電状態が一定時間以上続いたことを検知することによりペットの乗り込みでないと判断することを特徴とする請求項３記載のエレベータ装置。
【請求項５】
前記乗りかご及びエレベータ乗場の敷居に各々設けられた導電部を更に有し、前記導電検知装置は、これらの導電部の通電状態をも検知することを特徴とする請求項１記載のエレベータ装置。
【発明の詳細な説明】
【０００１】
【発明の属する技術分野】
本発明は、エレベータ装置に係わり、特に犬、猫などペットを乗せるエレベータ装置に関する。
【０００２】
【従来の技術】
通常、一戸建ての住宅では犬、猫などのペットを飼うことはできる。一方、マンションなど集合住宅では他の住人に迷惑をかける恐れがあることからペット飼育禁止のところもあるが、昨今の住宅事情では、ペットとの共生を事実上、許可している場合も多い。しかし、住人のなかにはペットが苦手な人もおり、このような集合住宅におけるエレベータシステムとして、ペットをエレベータの乗りかごに乗せる場合の対策が考えられている。
【０００３】
例えば、特許文献１には、昇降かご内でペット同伴者がペット同乗表示用釦を押すことによりエレベータ乗り場に設けたペット同乗表示ランプが点灯して、ペットの搭乗を報知し、ペット同士の鉢合わせによる騒動を防止するペット対応型マンション用エレベータが記載されている。
【０００４】
また、特許文献２には、エレベータ乗場にペット同乗のための専用呼び釦を設け、この釦が押されるとエレベータの乗客がいなくなったときにその階に移動して目的階に直行し、ペット同伴者及びペットと他の乗客を同乗させないエレベータ運転装置が記載されている。
【０００５】
しかし、上記の技術はいずれも、ペット同伴者自身が専用のボタンを押すことにより、ペットの搭乗することを知らせるものであり、ペット同伴者がそれらの操作が理解していなかったり怠ったりすると動作しないシステムであり、また、同伴者がそのボタン知っていてもそれらの操作を行わなければならず、煩わしいという問題点があった。
【０００６】
【特許文献１】
・特開２００１−３２２７７５号公報
【０００７】
【特許文献２】
・特開２００３−２５４８号公報
【０００８】
【発明が解決しようとする課題】
本発明は、上述のような従来の、ペット同乗エレベータの問題点にかんがみてなされたもので、同伴者がペットを連れてエレベータに乗る場合にもなんらの操作を必要とすることのない、エレベータ装置を提供することを目的とする。
【０００９】
【課題を解決するための手段】
上記目的を達成するために、本発明の請求項１によれば、昇降可能なエレベータの乗りかごと、この乗りかごの床面に所定間隔で設けられた複数の導電部と、これら導電部に接続され各導電部の通電状態によりペットの乗り込みを検知する導電検知装置と、この導電検知装置が前記ペットの乗り込みを検知したとき点灯するペット同乗ランプとを備えて成ることを特徴とするエレベータ装置を提供する。
【００１０】
本発明の請求項２によれば、請求項１記載のエレベータ装置において、前記導電検知装置が前記ペットの乗り込みを検知したとき、前記乗りかごの戸開時間を延長する戸開時間延長回路を更に有することを特徴とする。
【００１１】
本発明の請求項３によれば、請求項１又は２記載のエレベータ装置において、前記導電検知装置は、前記導電部が所定数以上通電状態になったことを検知することによりペットの乗り込みでないと判断することを特徴とする。
【００１２】
本発明の請求項４によれば、請求項３記載のエレベータ装置において、前記導電検知装置は、前記導電部の通電状態が一定時間以上続いたことを検知することによりペットの乗り込みでないと判断することを特徴とする。
【００１３】
本発明の請求項５によれば、請求項１記載のエレベータ装置において、前記乗りかご及びエレベータ乗場の敷居に各々設けられた導電部を更に有し、前記導電検知装置は、これらの導電部の通電状態をも検知することを特徴とする。
【００１４】
【発明の実施の形態】
以下、本発明の各実施形態について図面を用いて説明する。図１に本発明の一実施形態におけるペット検知のための回路を示し、図２にこの実施形態における乗りかごの床構造を示す。乗りかご１１の床面１２には、図２に示すように複数の円形の導電板例えば金属板１３が所定間隔離して設けられている。これらの金属板１３は、裏面から、図１に示すように導線１４により導電体検知装置１５に結線されている。エレベータが動作中には、導電体検知装置１５から導線１４を通して各金属板１３に常に微弱な電圧が与えられ、同時に電圧電流の変化状態が監視されている。導電体検知装置１５には、乗りかご内あるいはエレベータ乗場に設けられたペット同乗ランプ１６が接続されており、上記金属板に流れる電圧電流の変化を検知すると、このペット同乗ランプ１６を点灯する。また、導電体検知装置１５は、エレベータの乗りかごが所定階に到着したときのドア１８を開く時間を決める回路の戸開時間を延長する戸開時間延長回路１７にも接続されている。
【００１５】
次に、このエレベータ装置の動作について図３に示すフローチャートなどを用いて説明する。
【００１６】
ステップＳ３０１において、乗りかご１１がいずれかの階で待機しており、ステップＳ３０２においてどこかの階で呼びボタンが押されたかを検知する。もしいずれかの階で呼びボタンが押されたとすると、ステップＳ３０３に移り、呼びボタンが押された階に移動する。次のステップＳ３０４で乗りかごに乗った乗客が目的階のボタンを押すと、次のステップＳ３０５では、上記導電体検知装置１５により、電圧電流の変化を検知する。
【００１７】
もし、電圧電流の変化が検知されなければ、ペットが乗ったことは検知されないから、通常モードで動作する、即ちステップＳ３０６で乗客により押された目的階に乗りかご１１が移動し、ステップＳ３０７で乗りかご１１のドア１８を開く。
【００１８】
一方、ステップＳ３０５で電圧電流の変化が検知されるとペットが乗ったことがわかる。即ち、犬、猫などが乗りかご１１に入ると、ペットの前後手足が複数の金属板上に接触し、一方の手足から他方の手足にペットの体を介して電流が流れる。すると上記導電体検知装置１５が上記電圧電流の変化を検知する。次のステップＳ３０８でペット同乗ランプ１６が点灯し、乗りかご内の乗客あるいは、エレベータ乗場にいる人に、乗りかご内にペットが乗っていることを知らせる。次のステップＳ３０９において、乗りかご１１が目的の階に移動し、ステップＳ３１０でペット同乗ランプ１６は消灯すると共に、ステップＳ３１１でエレベータのドアを開くがペットの下りる時間を考慮して、戸開時間延長回路１７が作動し、この場合の戸開時間は通常よりも長くなる。
【００１９】
この後、乗客が降りると、ステップＳ３１２で乗りかご１１のドアが閉められ、ステップＳ３０１に戻って再び乗りかごは待機状態になる。
【００２０】
なお、降雨や乗りかごの濡れ、ペットによる放尿などにより、図４の４１に示すように出入り口付近の金属板１３が通電状態となる場合もある。また、図５の５１に示すように、導電体に不審物が置かれることにより乗りかごの床面の奥の部分の金属板１３が通電状態となることもある。
【００２１】
このように、多数の金属板１３が通電状態になったときにはペットの乗り込みによるものと考えられず、ペット乗り込みでないと判断することになる。また、時間的にも乗りかごのドアが開いた後の所定時間内における、一定範囲内の電圧電流変化のみを検出することにより、ペット乗り込みを比較的容易に検知することができる。このような場合の本発明一実施形態における検知の流れを図６に示すフローチャートにより説明する。
【００２２】
ステップＳ６０１で、乗りかご１１が待機しており、ステップＳ６０２で導電体検知装置１５が作動する。次にステップＳ６０３で所定個数以上の金属板が通電状態になったことを検知し、次のステップＳ６０４でそれらの金属板が設定時間以上通電状態になったことを検知する。すると、次のステップＳ６０５の管理人（マンションの管理人室やエレベータ管理会社）に通報する。そして、次のステップＳ６０６で管理人により乗りかごの床面が確認され、漏水、あるいはペットの放尿であればそれらの掃除、不審物がおかれていればその撤去がなされ、再びステップＳ６０１に戻って乗りかごは待機状態になる。
【００２３】
ステップ６０３で所定個数以上、金属板が通電状態にならなかった場合、及びステップＳ６０４でそれらの金属板は設定時間以上通電状態にならなかった場合には、導電体検知装置１５は、ステップＳ６０７で、ペットが乗り込んできたものと判断する。
【００２４】
なお、本発明のエレベータ装置において、エレベータ乗場側の床面にも通電を検知する金属板を設置すれば、ペットの降りるときの状態によって乗りかごのドアを再度開くようなこともできる。
【００２５】
即ち図７に示すように、乗りかご７１の床面７２に金属板７３を張っているがこれと同じように、エレベータの乗場７５の床面７６にも金属板７７を張り、これらの金属板の通電状態を図示しない導電体検知装置により検知する。これによりペットが乗り降りする状態を検知することができる。
【００２６】
また乗りかごの敷居の先端部に導電体７８を張り、エレベータ乗場の敷居の先端部に導電体７９を張る。このようにすると、図８のフローチャートに示すように、ペットの降車途中に戸閉を開始する（ステップＳ８０１）と、ペットの前足が乗場の導電体７９に接触して導電体７９と乗りかご床面の金属板７３が通電状態となる（Ｓ８０２）。これをステップＳ８０３で導電体検知装置が検知し、ステップＳ８０４でドアの戸開を開始しステップＳ８０５でペットの降車を検知したら、ペット同乗ランプを消灯（Ｓ８０６）し、ステップＳ８０７で戸開時間の延長を解除した後、ステップＳ８０８において、エレベータ呼びの待機状態になる。
【００２７】
このように、図７に示すように、乗りかご側及びエレベータ乗場側に導電体を設けると、ペットの乗り降りの際の状態を通電により検知して、戸開時間を延長したりすることができ、より安全なエレベータ装置を得ることができる。
【００２８】
上記実施形態の説明では金属板、導電体として説明したがこれらは一般的は導電部であればよい。
【００２９】
【発明の効果】
以上説明したように本発明によれば、同伴者がペットを連れてエレベータに乗る場合にもなんらの操作を必要とすることのない、エレベータ装置を得る効果がある。
【図面の簡単な説明】
【図１】本発明一実施形態のエレベータ装置の構成例を示す図。
【図２】本発明一実施形態のエレベータ装置の乗りかごの床面の状態を示す図。
【図３】本発明一実施形態の動作を説明するための図。
【図４】本発明一実施形態において出入り口付近の床面の通電状態を説明するための図。
【図５】本発明一実施形態において奥における床面の通電状態を説明するための図。
【図６】本発明一実施形態においてペット乗り込みでないと判断する場合のフローを説明するための図。
【図７】本発明の他の実施形態における乗りかご及びエレベータ乗場の状態を説明するための図。
【図８】本発明の他の実施形態において、ペットが乗りかごから降りることを検知したときの動作を説明するための図。
【符号の説明】
１１，７１・・・乗りかご、
１２，７２・・・床面、
１３，７３，７７・・・金属板、
１４・・・導線、
１５・・・導電体検知装置、
１６・・・ペット同乗ランプ、
１７・・・戸開時間延長回路、
１８・・・ドア、
７５・・・乗場、
７６・・・床面、
７８，７９・・・導電体。
【図１】
2005001801.tif 000003
【図２】
2005001801.tif 000004
【図３】
2005001801.tif 000005
【図４】
2005001801.tif 000006
【図５】
2005001801.tif 000007
【図６】
2005001801.tif 000008
【図７】
2005001801.tif 000009
【図８】
2005001801.tif 000010